【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
水圧源に対して配置されるように構成された第1の表面および前記第1の表面に対向する第2の表面を有するドレインボード；
ドレインボードの第2の表面に対して配置された締結具プレートであって、伝導性要素および熱可塑性樹脂を含む締結具プレート；および
ジオテキスタイルに隣接する熱可塑性表面を含み、吸水性材料を保持する自己回復性水圧バリアであって、この熱可塑性表面が、締結具プレートに誘導溶接されるバリア
を含む防水ラミネート。
【請求項２】
前記ドレインボードを前記水圧源にセキュアする固定部材をさらに含み、固定部材の少なくとも一部が、前記締結具プレートおよび前記ドレインボードを貫通し、前記水圧源に至るように配置されている、請求項1に記載の防水ラミネート。
【請求項３】
前記ドレインボードが、前記水圧源に対して配置されるように構成されたジオテキスタイルを含む、請求項1に記載の防水ラミネート。
【請求項４】
前記ドレインボードがさらに、前記ジオテキスタイルに接着された排水コアを含む、請求項3に記載の防水ラミネート。
【請求項５】
前記排水コアがジオネットまたはディンプルコアを含む、請求項4に記載の防水ラミネート。
【請求項６】
前記水圧源が、路床擁壁、支保工壁、およびトンネル壁からなる群より選択される１種以上を含む、請求項1に記載の防水ラミネート。
【請求項７】
前記締結具プレートが、本質的に、前記熱可塑性樹脂から製造されたプレート様主要部材、および前記主要部材に接着される伝導性要素で製造される伝導性シートからなる、請求項1に記載の防水ラミネート。
【請求項８】
前記伝導性シートが、プレート様主要部材内に層として提供される、請求項7に記載の防水ラミネート。
【請求項９】
前記締結具プレートが、セキュア表面、溶接表面を有し、前記伝導性要素を含む伝導性支持体を含み；前記溶接表面が前記熱可塑性樹脂を保持する、請求項1に記載の防水ラミネート。
【請求項１０】
前記自己回復性水圧バリアが、熱可塑性表面を保持する不透水性層を含み、前記不透水性層が、前記ジオテキスタイルに接着され；前記吸水性材料が、前記ジオテキスタイル中に含浸され、前記不透水性層に接着される、請求項1に記載の防水ラミネート。
【請求項１１】
前記不透水性層がさらに、熱可塑性表面を保持する熱可塑性層、ならびに前記ジオテキスタイルおよび前記吸水性材料に接着する接着剤層を含む、請求項10に記載の防水ラミネート。
【請求項１２】
前記自己回復性水圧バリアが、前記熱可塑性表面と前記ジオテキスタイルとの間に吸水性材料を保持する、請求項1に記載の防水ラミネート。
【請求項１３】
前記吸水性材料が、高吸収性ポリマー、粘土、およびこれらの混合物からなる群から選択される、請求項1に記載の防水ラミネート。
【請求項１４】
前記吸水性材料が、塩水膨潤性組成物を含む、請求項1に記載の防水ラミネート。
【請求項１５】
前記塩水膨潤性組成物が、
30重量％〜60重量％のスメクタイト粘土；
5重量％〜25重量％の部分架橋アクリルアミド／部分中和アクリル酸コポリマー；
3重量％〜15重量％の少なくとも1つのエラストマー樹脂；
5重量％〜30重量％のカチオン性凝集剤；および
0.5重量％〜25重量％の少なくとも1つの、前記エラストマー樹脂のための一次可塑剤
を含む、請求項14に記載の防水ラミネート。
【請求項１６】
ドレインボードによって保持される水圧表面；
自己回復性水圧バリアによって保持される乾燥表面；および水圧表面と乾燥表面との間に配置され；
ドレインボードに付着され、自己回復性水圧バリアに溶接される締結具プレート
を含む、防水ラミネート。
【請求項１７】
個々に伝導性要素および熱可塑性樹脂を含む複数の締結具プレート；
ジオテキスタイルに隣接し、吸水性材料を保持する熱可塑性層を含む自己回復性水圧バリア；
を含む、防水ラミネートであって、ここでこの自己回復性水圧バリアが、熱可塑性層と熱可塑性樹脂との間に形成される複数の誘導溶接部によって複数の締結具プレートに隣接する、防水ラミネート。
【請求項１８】
誘導溶接部が、3つの熱作用ゾーン；締結具プレートゾーン；融合ゾーン；および自己回復性水圧バリアゾーンを含み；前記締結具プレートゾーンが、前記融合ゾーンまたは前記自己回復性水圧バリアゾーンのいずれかの個々の体積よりも大きい体積を含む、請求項17に記載の防水ラミネート。
【請求項１９】
前記締結具プレートゾーンが、前記熱可塑性樹脂の体積とほぼ同一の広がりをもつ、請求項18に記載の防水ラミネート。
【請求項２０】
水圧源にセキュアされた締結プレートに対して自己回復性水圧バリアの熱可塑性表面を配置する工程；および次いで
この熱可塑性表面および締結プレートを誘導溶接する工程
を含む、防水ラミネートを調製する方法。
【請求項２１】
固定部材に前記締結具プレートを貫通させ、水圧源に至らせることにより、前記締結プレートを前記水圧源にセキュアする工程をさらに含む、請求項20に記載の方法。
【請求項２２】
前記水圧源と前記締結プレートとの間にドレインボードを配置する工程；および次いで
コンクリート締結具、スクリュー、ドライブピン、およびネイルからなる群から選択される固定部材に前記締結具プレートおよびドレインボードを貫通させ、前記水圧源に至らせることによって、前記締結プレートを前記水圧源にセキュアする工程
をさらに含む、請求項20に記載の方法。
【請求項２３】
前記熱可塑性表面の重複層を含む継ぎ目をシールする工程をさらに含む、請求項20に記載の方法。
【請求項２４】
前記自己回復性水圧バリアを通して構造アンカーを提供する工程をさらに含む、請求項20に記載の方法。
【請求項２５】
排水材料を水圧源に対して配置する工程であって、この排水材料が、前記水圧源に対して配置される第1の表面、ならびに露出した第2の表面を有するものである、工程；
この排水材料を、前記水圧源に、前記水圧源上に配置された複数の締結具プレートおよびこの締結具プレートおよび排水材料を通して延び、前記水圧源内に固定部材を用いて取り付ける工程であって、この締結具プレートが、伝導性要素および熱可塑性樹を含むものである、工程；および
自己回復性水圧バリアをこの締結具プレートに誘導溶接する工程であって、この自己回復性水圧バリアが、吸水性材料およびジオテキスタイルに隣接する不透水性熱可塑性層を含むものである、工程
を含む、水圧源を防水する方法。
【請求項２６】
前記水圧源がトンネル壁、トンネル床、トンネル天井、擁壁、支保工壁、およびこれらの組み合わせからなる群より選択される、請求項23に記載の水圧源を防水する工程。
【請求項２７】
前記水圧源がトンネル壁およびトンネル天井からなる群から選択される1種以上であり、
ショットクリートをトンネル中の掘削岩石に適用し、平滑化されたトンネル壁および平滑化されたトンネル天井からなる群より選択される1種以上を形成する工程；およびこのショットクリートを硬化する工程をさらに含み、前記排水材料が、平滑化されたトンネル壁および平滑化されたトンネル天井からなる群より選択される1種以上に対して配置される、請求項24に記載の方法。
【請求項２８】
前記ジオテキスタイルに対してコンクリートを適用する工程；および前記コンクリートを硬化する工程
をさらに含む、請求項26に記載の方法。
【請求項２９】
止水板をすべてのコンクリートジョイントに適用する工程をさらに含む、請求項28に記載の方法。
【請求項３０】
透水性シート；および
透水性シートに付着された締結具プレートであって、熱可塑性接着剤および金属レセプタを含む締結具プレート
を含む締結具一体化ドレインボード。
【請求項３１】
複数の締結具プレートをさらに含む、請求項30に記載の締結具一体化ドレインボード。
【請求項３２】
前記締結具プレートが、前記透水性シートに一定間隔で配置される、請求項31に記載の締結具一体化ドレインボード。
【請求項３３】
透水性シートに対して金属レセプタを配置する工程；
熱可塑性接着剤をこの金属レセプタに適用する工程；および
この熱可塑性接着剤を十分な温度に加熱し、この金属レセプタと透水性シートとの間に粘着性接着を形成する工程
を含む、締結具一体化ドレインボードを製造する方法。
【請求項３４】
水圧源に対して、締結具プレートを含む締結具一体化ドレインボードを配置する工程；
固定部材の少なくとも一部を締結具プレートに貫通させることによって、固定部材を火薬作動または空気式作動させ、この締結具一体化ドレインボードを水圧源にセキュアさせる工程；および次いで
自己回復性水圧バリアをこの締結具プレートに誘導溶接する工程
を含む方法。